(57)【要約】【課題】外見構造を全く変更することなしに鳴音安定度向上機能を付与し得るハンドセットを提供する。【解決手段】受話口の内側には、音穴群を取り囲む第１のリブが配置されることによって、受話口の内壁面と受話器の音波放射面と第１のリブの内壁とによって受話口容積が形成される。受話口容積を形成する第１のリブの外側に所定間隔をおいて第２のリブが配置され、第１のリブと第２のリブとの間に形成される空隙路は隔壁により仕切りされてレゾネータ容積が形成される。ゾネータ容積と受話口容積との間の第１のリブには、受話器の音波放射面に沿う方向の貫通穴がレゾネータ穴として形成されており、レゾネータ容積とレゾネータ穴の共振周波数が前記受話器の放射する音波のピーク周波数の近くに設定されている。【選択図】      図２
2006174229.tif 000002
【特許請求の範囲】
【請求項１】
一端側には送話器が収容されて送話口が形成され、他端側には受話器が収容されて受話口が形成されたハンドセットであって、
該他端側の受話口には、該受話器からの放射音波を通過させる音穴群が形成されるとともに、該受話口の内側には、該音穴群を取り囲む第１のリブが配置されることによって、前記受話器の音波放射面が前記音穴群に対向して前記第１のリブに保持されるとともに、前記受話口の内壁面と前記受話器の音波放射面と前記第１のリブの内壁とによって受話口容積が形成され、
該受話口容積を形成する前記第１のリブの外側に所定間隔をおいて少くとも一つの第２のリブが配置されるとともに、前記第１のリブと少くとも一つの前記第２のリブとの間に形成される少くとも一つの空隙路は少くとも二つの隔壁により仕切りされて少くとも一つのレゾネータ容積が形成され、
該レゾネータ容積と前記受話口容積との間の前記第１のリブには、前記受話器の音波放射面に沿う方向の貫通穴がレゾネータ穴として形成されており、
前記レゾネータ容積と前記レゾネータ穴の共振周波数が前記受話器の放射する音波のピーク周波数の近くに設定されている
ことを特徴とするハンドセット。
【請求項２】
前記受話器の音波放射面が前記音穴群に対向した状態で環状緩衝板部材を介して前記第１のリブに保持されていることを特徴とする請求項１に記載のハンドセット。
【発明の詳細な説明】
【技術分野】
【０００１】
本発明は、ハンドセットに関するものである。
【背景技術】
【０００２】
この種のハンドセットは例えば電話機用として広く用いられており、一般的に、図１１に示すように一端側には送話器１０が収容されて送話口１１が形成され、他端側には受話器１２が収容されて受話口１３が形成された構造を有している。
このようなハンドセット１００は、図１２に示すように４線２線変換回路２３を介して２線回線２４に接続されており、この場合に、〔送話器１０→送話増幅器２１→４線２線変換回路での漏洩路２５→受話増幅器２２→受話器１２→音響結合路２６→送話器１０〕によるループ回路２７が形成される。この場合に、通常はループ回路２７の総合ループ利得はマイナス（すなわち、利得１以下）になるように、ループ回路２７内の各部回路の伝送利得が設定されて、このループ回路では鳴音（ハウリング）が発生しないように所要の鳴音安定度が維持されている。
【０００３】
しかし、例えば図１１に示すように、ハンドセット１００を机の上面３０の上に、送話口１１と受話口１３が机の上面３０に対向する姿勢で配置した場合、〔受話器１２→受話口１３→机の上の面３０を含み矢印で示す音響結合路２６→送話口１１→送話器１０〕により形成される音響結合路２６は、机の上面３０に配置しない通話中の場合よりも伝送ロスが低下するので、結果的に、ループ回路２７のループ利得がプラス（すなわち、利得１以上）となって、２線回線２４に接続された通話相手にエコーとなって聞こえたり、このループ回路２７がハウリングを生起する可能性もある。
【０００４】
このように、音響結合は受話器１２から放射される音波が送話器に到達して起きるので、図１３に示すように、通話しないときにこのハンドセットを常時載置しておく電話機筐体上のハンドセット収容スペース内のハンドセットとの対向面上、又は、ハンドセットのこの収容スペースとの対向面上の少くとも一方に開口部５６と空気室５７とよりなるレゾネータ５８を配置し、開口部５６は前記対向面の表面に配置して、このレゾネータ５８により、音響結合量を低減させる構造が提案されている（特許文献１参照）。
【特許文献１】実用新案公報  昭６４−６６０９号
【発明の開示】
【発明が解決しようとする課題】
【０００５】
しかしながら、この構造では、対向面上に新たな開口部５６を形成し、この開口部５６に連結された空気室５７が配置されるので、外見上、開口部５６の存在が不自然であり、また、ごみ，ほこりが開口部５６から浸入する危険性もあり、さらに、空気室５７の存在は筐体，ハンドセットの設計の自由度を低下させ、また、外見上の美観をも低下させることになる。
【０００６】
本発明は、従来技術のこのような欠点を解消し、外見構造を全く変更することなしに鳴音安定度向上機能を付与し得るハンドセットを提供するものである。
【課題を解決するための手段】
【０００７】
この課題を解決するために、本発明によるハンドセットは、一端側には送話器が収容されて送話口が形成され、他端側には受話器が収容されて受話口が形成されたハンドセットであって、
該他端側の受話口には、該受話器からの放射音波を通過させる音穴群が形成されるとともに、該受話口の内側には、該音穴群を取り囲む第１のリブが配置されることによって、前記受話器の音波放射面が前記音穴群に対向して前記第１のリブに保持されるとともに、前記受話口の内壁面と前記受話器の音波放射面と前記第１のリブの内壁とによって受話口容積が形成され、
該受話口容積を形成する前記第１のリブの外側に所定間隔をおいて少くとも一つの第２のリブが配置されるとともに、前記第１のリブと少くとも一つの前記第２のリブとの間に形成される少くとも一つの空隙路は少くとも二つの隔壁により仕切りされて少くとも一つのレゾネータ容積が形成され、
該レゾネータ容積と前記受話口容積との間の前記第１のリブには、前記受話器の音波放射面に沿う方向の貫通穴がレゾネータ穴として形成されており、前記レゾネータ容積と前記レゾネータ穴の共振周波数が前記受話器の放射する音波のピーク周波数の近くに設定されている
ことを特徴とする構成を有している。
前記受話器の音波放射面が前記音穴群に対向した状態で環状緩衝板部材を介して前記第１のリブに保持することができる。
【発明の効果】
【０００８】
本発明によれば、外見構造を変更することなしに鳴音安定度向上機能を付与することができるので、電話機用等の各種のハンドセットに適用して、鳴音安定度を向上し、安定した通話を実行することが可能である。
【発明を実施するための最良の形態】
【０００９】
図１は、本発明によるハンドセットの受話器口１３の内外構造例を示す縦断面図である。また、図２は同受話器口１３の内部構造例を示す横断面図である。
【００１０】
これらの図に示すように、受話口１３には、受話器１２からの放射音波を通過させる音穴群３を取り囲む第１の円弧状リブ５が配置されている。これにより、受話器１２の音波放射面１２ａは音穴群３に対向して第１の円弧状リブ５に、円環状の緩衝板部材１４を介して、保持されている。受話口１３の内壁面３ａと受話器１２の音波放射面１２ａと第１の円弧状リブ５の内壁５ａとによって受話口容積４が形成されている。円環状の緩衝板部材１４の配置は、受話口容積４の大きさが安定する等の構造に係わる数値が安定することにより、実用上鳴音安定度が安定する効果が得られる。
【００１１】
受話口容積４を形成する第１の円弧状リブ５の外側に所定間隔ｄをおいて一つの第２の円弧状リブ６が配置されており、第１の円弧状リブ５と第２の円弧状リブ６との間に形成される円弧状空隙路７は二つの仕切り隔壁８により仕切りされて、レゾネータ容積１が形成されている。
【００１２】
レゾネータ容積１と受話口容積４との間の第１の円弧状リブ５には、受話器１２の音波放射面１２ａに沿う方向の貫通穴２がレゾネータ穴として形成されている。
第２の円弧状リブ６は、所要の間隔をおいて、複数個配置されてもよい。また、仕切り隔壁８の数をさらに増加させて、レゾネータ容積１を複数個形成してもよい。第１，第２のリブ５，６は円弧状である場合以外に、多角形に沿う形状等の他の形状を採用することができる。
【００１３】
以下、本発明によるハンドセットにより得られる特性について検討する。
図３は、本発明によるハンドセットの受話器から放射される音波の出力レベルの周波数特性を説明するための特性例図であり、レゾネータ共振周波数がＦ０の場合に、点線で示すＦ１は「レゾネータなし」、実線で示すＦ２は「レゾネータあり」のときであり、レゾネータを付加することによりＬ１のレベル低下が得られるとの「ハウリング吸収の効果」がある。これは本発明によるハンドセットに共通の特性である。
【００１４】
図４は、実際の試作品から得られた受話器からの放射レベル特性の測定例であり、（ａ）は「レゾネータ無し」の場合、（ｂ）は「レゾネータ有り」の場合を示している。この試作品では、レゾネータを付加することにより、２ｋＨｚで５．３ｄＢ、２．１ｋＨｚで４ｄＢ、２．２ｋＨｚで２ｄＢの改善が得られることが理解される。
【００１５】
図５は、本発明によるハンドセットにおける受話器からの放射音波を耳で聞く場合の特性である受話器カップラー特性を示しており、レゾネータ共振周波数近傍で約３ｄＢの改善が有ることが理解される。
【００１６】
図６は、本発明によるハンドセットのハウリング吸収効果をもたらす音響等価回路を示している。受話器駆動源、振動板定数、振動板ダンピング抵抗、受話口容積、レゾネータ穴、レゾネータ容積、受話口穴に対応する各回路定数が示されており、受話器放射レベルが出力側に得られる。
【００１７】
図７は、図６のような音響等価回路において、レゾネータ穴とレゾネータ容積の共振周波数が受話器の放射する音波のピーク周波数に近い場合に、「レゾネータなし」と「レゾネータあり」のときの「受話器から放射される音波レベルの理論値特性を対比して示している。
【００１８】
図８は、レゾネータ穴とレゾネータ容積の共振周波数が受話器の放射する音波のピーク周波数より低い場合の同様の理論値特性の対比である。
【００１９】
図９は、レゾネータ穴とレゾネータ容積の共振周波数が受話器の放射する音のピーク周波数より高い場合の同様の理論値特性の対比である。
【００２０】
図１０は、レゾネータ穴とレゾネータ容積の共振周波数（レゾネータ共振周波数）に対して受話器の放射する音波のピークレベルの低下（ハウリング吸収レベル）の関係を示す特性図である。
【産業上の利用可能性】
【００２１】
本発明は、固定電話機の外にＩＰ電話機またはインターホーンのハンドセットに適用することができる。
【図面の簡単な説明】
【００２２】
【図１】本発明によるハンドセットの受話器口の内外構造例を示す縦断面図である。
【図２】本発明によるハンドセットの受話器口の内部構造例を示す横断面図である。
【図３】本発明によるハンドセットの受話器から放射される音波の出力レベルの周波数特性を説明するための特性例図である。
【図４】本発明に係わる実際の試作品から得られた受話器からの放射レベル特性の測定例図である。
【図５】本発明によるハンドセットにおける受話器カップラー特性例図である。
【図６】本発明によるハンドセットの音響等価回路図である。
【図７】図６に示す音響等価回路において、レゾネータの共振周波数が受話器の放射音波のピーク周波数に近い場合に、レゾネータの有無による受話器からの放射音波レベルの理論値特性の対比例図である。
【図８】図６に示す音響等価回路において、レゾネータの共振周波数が受話器の放射音波のピーク周波数より低い場合に、レゾネータの有無による受話器からの放射音波レベルの理論値特性の対比例図である。
【図９】図６に示す音響等価回路において、レゾネータの共振周波数が受話器の放射音波のピーク周波数より高い場合に、レゾネータの有無による受話器からの放射音波レベルの理論値特性の対比例図である。
【図１０】レゾネータ共振周波数と受話器の放射音波のピークレベルの低下（ハウリング吸収レベル）の関係を示す特性図である。
【図１１】一般の電話機用ハンドセットの使用例を説明するための側面図である。
【図１２】一般の電話機用ハンドセットの使用例を説明するための回路接続図である。
【図１３】従来の電話機における音響結合量を低減させる構造例を示す一部断面を含む側面図である。
【符号の説明】
【００２３】
１  レゾネータ容積
２  貫通穴（レゾネータ穴）
３  音穴群
３ａ  受話口の内壁面
４  受話口容積
５  第１のリブ
５ａ  第１のリブの内壁
６  第２のリブ
７  空隙路
８  隔壁
１０  送話器
１１  送話口
１２  受話器
１２ａ  音波放射面
１３  受話口
１４  緩衝板部材
２１  送話増幅器
２２  受話増幅器
２３  ４線２線変換回路
２４  ２線回線
２５  ４線２線変換回路での漏洩路
２６  音響結合路
２７  ループ回路
３０  机の上面
５６  開口部
５７  空気室
５８  レゾネータ
１００  ハンドセット
【図１】
2006174229.tif 000003
【図２】
2006174229.tif 000004
【図３】
2006174229.tif 000005
【図４】
2006174229.tif 000006
【図５】
2006174229.tif 000007
【図６】
2006174229.tif 000008
【図７】
2006174229.tif 000009
【図８】
2006174229.tif 000010
【図９】
2006174229.tif 000011
【図１０】
2006174229.tif 000012
【図１１】
2006174229.tif 000013
【図１２】
2006174229.tif 000014
【図１３】
2006174229.tif 000015